(57)【要約】【課題】未使用のトイレットペーパーロール自体が保有する形体を活用することで構成部品を少なくし、単純形体の構成部品を使用できて作製原価低減を図ることができ、幼稚園の園児のような幼児が容易に視認することができ、しかも幼児であっても容易に取り外しができて、使用に当ってパニックに落ち入らず、床に直置きしない衛生的な予備トイレットペーパーロールのホルダーを提供する。【解決手段】任意の縦及び横方向に、中央部に円筒状の芯部を備えた未使用のトイレットペーパーロールの最大ロール直径の３倍以上で５倍以内の幅を有する平面状の板と、この板の裏面に設けた、トイレットの壁への接着手段と、この板を貫通して固定され、表面から直角方向にもしくは直角方向から同一方向に若干傾けられ、トイレットペーパーロールのペーパー幅よりも若干長めとされ、芯部内径よりも１／２以下の太さを有する複数本のトイレットペーパー保持棒とで構成される。【選択図】図１
0003175255.tif 000002
【実用新案登録請求の範囲】
【請求項１】
任意の縦及び横方向に、中央部に円筒状の芯部を備えた未使用のトイレットペーパーロールの最大ロール直径の３倍以上で５倍以内の幅を有する平面状の板と、この板の裏面に設けた、トイレットの壁への接着手段と、この板を貫通して固定され、表面から直角方向にもしくは直角方向から同一方向に若干傾けられ、トイレットペーパーロールのペーパー幅よりも若干長めとされ、前記芯部内径よりも１／２以下の太さを有する複数本のトイレットペーパー保持棒とで構成され、
隣接するトイレットペーパー保持棒の間隔が、隣接する２つのトイレットペーパー保持棒に、未使用のトイレットペーパーロールをそれぞれ保持させたときに、これらのトイレットペーパーロール同士が接触しない間隔で、未使用のトイレットペーパーロールの最大ロール直径の２倍以内の間隔とされたことを特徴とするトイレットペーパーロールホルダー。
【請求項２】
請求項１において、前記平面状の板が、四角形をなし、前記トイレットペーパー保持棒が、ステンレス材で丸形棒状の保持棒であり、４本の該トイレットペーパー保持棒が用いられ、これら４本のトイレットペーパー保持棒が、上方からみて構成される四角形の各頂点上に配置されていることを特徴とするトイレットペーパーロールホルダー。
【考案の詳細な説明】
【技術分野】
【０００１】
本考案は、予備トイレットペーパーロールのホルダーに関する。
【背景技術】
【０００２】
トイレットの中に配設するために各種の予備トイレットペーパーロールホルダーが提案されている。
【０００３】
特許文献１には、複数個の予備のトイレットペーパーロールを収納することのできる角形筒状袋体が記載されている。
【０００４】
特許文献２には、平板上に円形の凹部受け皿を設け、下方に接着部足を設けてなる本体に、接着部足の片面に複数個の鋲先をあけ、さらに粘着テープを貼り付けた予備トイレットペーパー置台が記載されている。
【先行技術文献】
【特許文献】
【０００５】
【特許文献１】特開２０００−１５２８９３号公報
【特許文献２】実開平３−１１８０９４号公報
【考案の開示】
【考案が解決しようとする課題】
【０００６】
特許文献１に示されるように、筒状袋体あるいは箱体に複数の予備トイレットペーパーロールを収納することが従来から提案されて来た。
【０００７】
このような構造のものにあっては、袋体あるいは箱体を用いることを要するために、作製原価が高くなり、また幼稚園などのように幼児が袋体あるいは箱体から取り出すということは容易ではないし、予備トイレットペーパーロール自体がどこにあるか見つけ出すこと自体容易ではなく、パニックを生ぜしめることになる。
【０００８】
特許文献２に示されるような置台形式のものにあっても作製原価が高くなる。トイレットペーパーロールを視認できることで幼児であっても予備のトイレットペーパーロールのあり場所を容易に確認することができるが、置台におかれる予備のトイレットペーパーロールが１個であるために、予備のトイレットペーパーロールが保持されていないことが予想され、また床面に置かれるために幼稚園のような幼児に適合した予備トイレットペーパーロールのホルダーとは言えない。
【０００９】
本考案は、かかる点に鑑みて未使用のトイレットペーパーロール自体が保有する形体を活用することで構成部品を少なくし、単純形体の構成部品を使用できて作製原価低減を図ることができ、幼稚園の園児のような幼児が容易に視認することができ、しかも幼児であっても容易に取り外しができて、使用に当ってパニックに落ち入らず、床に直置きしない衛生的な予備トイレットペーパーロールのホルダーを提供することを目的とする。
【課題を解決するための手段】
【００１０】
本考案は、具体的には、任意の縦及び横方向に、中央部に円筒状の芯部を備えた未使用のトイレットペーパーロールの最大ロール直径の３倍以上で５倍以内の幅を有する平面状の板と、この板の裏面に設けた、トイレットの壁への接着手段と、この板を貫通して固定され、表面から直角方向にもしくは直角方向から同一方向に若干傾けられ、トイレットペーパーロールのペーパー幅よりも若干長めとされ、前記芯部内径よりも１／２以下の太さを有する複数本のトイレットペーパー保持棒とで構成され、
隣接するトイレットペーパー保持棒の間隔が、隣接する２つのトイレットペーパー保持棒に、未使用のトイレットペーパーロールをそれぞれ保持させたときに、これらのトイレットペーパーロール同士が接触しない間隔で、未使用のトイレットペーパーロールの最大ロール直径の２倍以内の間隔とされたことを特徴とするトイレットペーパーロールホルダーを提供する。
【００１１】
本考案は、また、前記平面状の板が、四角形をなし、前記トイレットペーパー保持棒が、ステンレス材で丸形棒状の保持棒であり、４本の該トイレットペーパー保持棒が用いられ、これら４本のトイレットペーパー保持棒が、上方からみて構成される四角形の各頂点上に配置されていることを特徴とするトイレットペーパーロールホルダーを提供する。
【考案の効果】
【００１２】
本考案は、上述したように構成されるために、未使用のトイレットペーパーロール自体が保持する形体を活用することで構成部品を少なくし、単純形体の構成部品を使用できて作製原価低減を図ることができ、しかも幼児であっても容易に取り外しができて、使用に当ってパニックに落ち入らず、床に直置きしない衛生的な予備トイレットペーパーロールホルダーを提供することができる。
【考案を実施するための最良の形態】
【００１３】
以下、本考案の実施例を図面に基づいて説明する。
【実施例】
【００１４】
図１は、本考案の実施例になるトイレットペーパーロールホルダー１の構成を示す図、図２は、その使用状態を示す図である。
【００１５】
図１に示すように、本実施例のトイレットペーパーロールホルダー１は、平面状の板２と、板２から直立する複数本の（図１では４本）のトイレットペーパー保持棒３とで構成され、平面状の板の裏面にはトイレットの壁への接着手段（図示せず）を有することでトイレットの壁に保持可能とされる。
【００１６】
図１に示す例では平面状の板２は正方形をなす。正方形でなくて長方形、円形あるいはそれ以外の形状であってもよいが正方形であることが使用上最適である。
【００１７】
そして、図１に示すように、複数のトイレットペーパー保持棒３は板２上に規則正しく配置、固定される。図２に示すように、トイレットペーパー保持棒３にトイレットペーパーロール４が保持された時に、未使用のトイレットペーパーロール４間には間隔があって双方のトイレットペーパーロールは相互に接触しないことで、取り除し易く、任意のトイレットペーパーロールが取り除され得る。ここで、トイレットペーパーロール４は、市販されている通常大きさのトイレットペーパーロールである。未使用のトイレットペーパー保持棒はトイレットペーパーロールの未使用状態であることが直ちに視認され得る。トイレットペーパー保持棒３は、トイレットペーパーロールの中央部にある円筒状の芯部５を受け材として、トイレットペーパーロール４を保持する。芯部５は、固形体で作製されるのが通常であり、トイレットペーパーロール４を保持するのに便利である。
【００１８】
図３は、図１に示すトイレットペーパーロールホルダー１の横断面を示す。また、上方から見た平面図も合わせて示してある。
【００１９】
図３において、トイレットペーパー保持棒３は、根本部１１にねじ部１２を有し、一方側から板２に設けた穴部１３を貫通して差し込まれ、他方側から差し込まれたナット１４によって螺着され、板上にしっかりと固定される。トイレットペーパー保持棒３を板２から螺着であるので必要に応じて容易に取り除すことができる。
【００２０】
トイレットペーパー保持棒３の頭部は滑らかな円弧状に形成される。
【００２１】
これらの図において、トイレットペーパーロールホルダー１は、任意の縦及び横方向に、中央部に円筒状の芯部５を備えた未使用のトイレットペーパーロール４の最大ロール直径の３倍以上５倍以内の幅を有する平板状の板２と、この板を貫通して固定され、表面から直角方向にもしくは直角方向から同一方向に若干傾けられ、トイレットペーパーロール４のペーパー幅よりも若干長めとされ、前述の芯部５内径よりも１／２以下の太さを有する、複数本のトイレットペーパー保持棒３を有して構成される。
【００２２】
トイレットペーパー保持棒３は、２本以上で８本以下で構成されるのが全体形状の大きさを考慮すると望ましい。
【００２３】
ナット１４が配置される側である板２の裏面には、トイレットの壁に接着するための接着手段、例えば両面テープなどから貼着される。この接着手段としては、他の公知の手段が採用されてよい。
【００２４】
隣接するトイレットペーパー保持棒３の間隔は、隣接する２つのトイレットペーパー保持棒３に、未使用のトイレットペーパーロール４をそれぞれ保持させてもこれらのトイレットペーパーロール同士が接触しない間隔で、未使用のトイレットペーパーロール４の最大ロール直径の２倍以内の間隔とされる。１．５倍以内とすることが望ましい。
【００２５】
図１〜図３に示す例の場合、トイレットペーパーロールホルダー１は、板２が正方形の平板状をなしているが、板表面に凹凸があってもよい。
【００２６】
トイレットペーパー保持棒３は、ステンレス材で丸形棒状の保持棒となっているが、他の材料、例えば木材でもよく、他の形状の保持棒であってもよい。
【００２７】
本例の場合、４本のトイレットペーパー保持棒３が用いられ、これら４本のトイレットペーパー保持棒３が、上方からみて四角形形体の各頂点上に配置されているが、この配置方法には限定されない。
【００２８】
図１〜図３に参考のために寸法（ｍｍ）を記述するが、本考案は、これらの寸法には限定されない。
【００２９】
図４及び図５は他の例を示し、図４は図１に、そして図５は図２に対応するこの例では、トイレットペーパー保持棒３が２本使用されている点が、先の例と異なっている。配置方法とについては他の例と同様である。ただ、この例の場合、保持するトイレットペーパーロール４が２つであるので、トイレットペーパー保持棒３の配置間隔を先に例に比べて大きめにするのが望ましい。
【図面の簡単な説明】
【００３０】
【図１】本考案の実施例の構成を示す斜視図。
【図２】本考案の実施例の使用例を示す図。
【図３】本考案の実施例の横断面及び平面からなる図。
【図４】本考案の他の例の構成を示す斜視図。
【図５】本考案の他の例の使用例を示す図。
【符号の説明】
【００３１】
１…トイレットペーパーロールホルダー、２…板、３…トイレットペーパー保持棒、４…トイレットペーパーロール、５…芯部、１１…根本部、１２…ねじ部、１３…穴部、１４…ナット。
【図１】
0003175255.tif 000003
【図２】
0003175255.tif 000004
【図３】
0003175255.tif 000005
【図４】
0003175255.tif 000006
【図５】
0003175255.tif 000007